(57)【要約】【課題】吸収性物品の製造工程において搬送される弾性部材の色や伸長率又は太さによって吸収性物品の良否判定を正確に行うことができる吸収性物品の検査方法を提供すること。【解決手段】本発明は、吸収性物品の製造工程において搬送される弾性部材２（糸ゴム２）の色によって吸収性物品の良否を判定する検査方法である。糸ゴム２を撮像し、撮像された糸ゴム２の画像データから色要素を抽出し、抽出された色要素と、予め設定された色要素の閾値とを比較することによって、吸収性物品の良否を判定する。また本発明は、糸ゴム２を撮像し、撮像された糸ゴム２の画像データから糸ゴム２の幅方向の画素数を基に該糸ゴム２の伸長率又は太さを求め、求められた伸長率又は太さと、予め設定された伸長率又は太さの閾値とを比較することによって吸収性物品の良否を判定する。【選択図】図３
2020032117.tif 000002
【特許請求の範囲】
【請求項１】
互いに異なる複数色の弾性部材を一方向に搬送しながら、該弾性部材を、吸収性物品を構成するいずれかの材料に接合する工程を有する、吸収性物品の製造方法であって、
搬送過程にある複数色の前記弾性部材を撮像し、撮像された該弾性部材の画像データから色要素を抽出し、抽出された色要素と予め設定された色要素の閾値とを比較する、吸収性物品の製造方法。
【請求項２】
抽出される前記弾性部材の色要素は、ＨＳＶ又はＲＧＢである請求項１に記載の製造方法。
【請求項３】
前記閾値を外れた前記弾性部材の搬送経路をインターフェース上に表示する請求項１又は２に記載の製造方法。
【請求項４】
互いに異なる太さ又は同じ太さを有する複数の弾性部材を一方向に搬送しながら、該弾性部材を、吸収性物品を構成するいずれかの材料に接合する工程を有する、吸収性物品の製造方法であって、
搬送過程にある複数の前記弾性部材を撮像し、撮像された該弾性部材の画像データから弾性部材の幅方向の画素数を基に該弾性部材の伸長率又は太さを求め、求められた伸長率又は太さと予め設定された伸長率又は太さの閾値とを比較する、吸収性物品の製造方法。
【請求項５】
前記弾性部材の伸長率又は太さを、撮像された該弾性部材の画像データの画素数によって検出する請求項４に記載の製造方法。
【請求項６】
前記閾値を外れた前記弾性部材の搬送経路をインターフェース上に表示する請求項４又は５に記載の製造方法。
【請求項７】
前記弾性部材の伸長率又は太さが、前記閾値の範囲を超える場合には、該弾性部材の搬送速度を調整する請求項４ないし６のいずれか一項に記載の製造方法。
【請求項８】
互いに異なる複数色の弾性部材を一方向に搬送しながら、該弾性部材を、吸収性物品を構成するいずれかの材料に接合して製造される吸収性物品の良否を判定する検査方法であって、
搬送過程にある複数色の前記弾性部材を撮像し、撮像された該弾性部材の画像データから色要素を抽出し、抽出された色要素と予め設定された色要素の閾値とを比較することによって前記吸収性物品の良否を判定する吸収性物品の検査方法。
【請求項９】
互いに異なる太さ又は同じ太さを有する複数の弾性部材を一方向に搬送しながら、該弾性部材を、吸収性物品を構成するいずれかの材料に接合して製造される吸収性物品の良否を判定する検査方法であって、
搬送過程にある複数の前記弾性部材を撮像し、撮像された該弾性部材の画像データから弾性部材の幅方向の画素数を基に該弾性部材の伸長率又は太さを求め、求められた伸長率又は太さと予め設定された伸長率又は太さの閾値とを比較することによって前記吸収性物品の良否を判定する吸収性物品の検査方法。
【請求項１０】
吸収性物品の製造工程において搬送される弾性部材の色、伸長率又は太さによって前記吸収性物品の良否を判定する検査装置であって、
前記弾性部材を撮像する撮像手段と、
該撮像手段によって撮像された前記弾性部材の画像データから色要素を抽出し、あるいは弾性部材の幅方向の画素数を基に前記弾性部材の伸長率又は太さを求める画像処理装置
と、
前記画像処理装置によって抽出された前記弾性部材の色要素、あるいは求められた前記弾性部材の伸長率又は太さと、予め設定された閾値とを比較することによって前記吸収性物品の良否を判定する制御手段と、
を有する吸収性物品の検査装置。
【発明の詳細な説明】
【技術分野】
【０００１】
本発明は吸収性物品の製造方法に関する。また本発明は吸収性物品の検査方法及び検査装置に関する。
【背景技術】
【０００２】
吸収性物品の一つである使い捨ておむつのギャザー部には、おむつを着用者の身体にフィットさせることを目的として、弾性部材である複数本の糸ゴムが配設されている。この種の使い捨ておむつの製造工程においては、複数本の糸ゴムが伸長状態を保って製造ラインを搬送され、おむつを構成するいずれかの部材に伸長状態で接合固定される。
【０００３】
ところで、使い捨ておむつに使用されている糸ゴムは、使い捨ておむつの種類やサイズあるいは使用部位などに応じて色や太さが異なる場合がある。したがって、所期の部位に所期の糸ゴムを配置する必要があり、その目的のために、おむつの製造過程において糸ゴムの配置状態を監視することが必要とされる。
【０００４】
糸ゴムの配置状態の監視に関し、特許文献１には、照明手段によって生じる糸条の走行面での反射光を撮像手段によって撮像し、得られた画像データから、走行方向に所定の期間の糸条部分と糸条周辺部の背景部分との差を鮮明化して糸条部分を抽出し、抽出したデータに順次データ処理を加えて、毛玉や毛羽などの欠陥の有無を判定する方法が記載されている。
【先行技術文献】
【特許文献】
【０００５】
【特許文献１】特開２０１４−０６６６６８号公報
【発明の概要】
【発明が解決しようとする課題】
【０００６】
しかしながら、特許文献１において提案された方法では、糸ゴムなどの弾性部材の色や太さを検出し、これらの色や太さが所期のものであるか否かを判定することは不可能である。
【０００７】
したがって本発明の課題は、吸収性物品の製造工程において搬送される弾性部材の色や伸長率又は太さに基づき吸収性物品の良否判定を正確に行うことができる方法及び装置を提供することにある。
【課題を解決するための手段】
【０００８】
本発明は、互いに異なる複数色の弾性部材を一方向に搬送しながら、該弾性部材を、吸収性物品を構成するいずれかの材料に接合する工程を有する、吸収性物品の製造方法であって、
搬送過程にある複数色の前記弾性部材を撮像し、撮像された該弾性部材の画像データから色要素を抽出し、抽出された色要素と予め設定された色要素の閾値とを比較する、吸収性物品の製造方法を提供するものである。
【０００９】
また本発明は、互いに異なる太さ又は同じ太さを有する複数の弾性部材を一方向に搬送しながら、該弾性部材を、吸収性物品を構成するいずれかの材料に接合する工程を有する、吸収性物品の製造方法であって、
搬送過程にある複数の前記弾性部材を撮像し、撮像された該弾性部材の画像データから
弾性部材の幅方向の画素数を基に該弾性部材の伸長率又は太さを求め、求められた伸長率又は太さと予め設定された伸長率又は太さの閾値とを比較する、吸収性物品の製造方法を提供するものである。
【００１０】
更に本発明は、互いに異なる複数色の弾性部材を一方向に搬送しながら、該弾性部材を、吸収性物品を構成するいずれかの材料に接合して製造される吸収性物品の良否を判定する検査方法であって、
搬送過程にある複数色の前記弾性部材を撮像し、撮像された該弾性部材の画像データから色要素を抽出し、抽出された色要素と予め設定された色要素の閾値とを比較することによって前記吸収性物品の良否を判定する吸収性物品の検査方法を提供するものである。
【００１１】
更に本発明は、互いに異なる太さ又は同じ太さを有する複数の弾性部材を一方向に搬送しながら、該弾性部材を、吸収性物品を構成するいずれかの材料に接合して製造される吸収性物品の良否を判定する検査方法であって、
搬送過程にある複数の前記弾性部材を撮像し、撮像された該弾性部材の画像データから弾性部材の幅方向の画素数を基に該弾性部材の伸長率又は太さを求め、求められた伸長率又は太さと予め設定された伸長率又は太さの閾値とを比較することによって前記吸収性物品の良否を判定する吸収性物品の検査方法を提供するものである。
【００１２】
また更に本発明は、吸収性物品の製造工程において搬送される弾性部材の色、伸長率又は太さによって前記吸収性物品の良否を判定する検査装置であって、
前記弾性部材を撮像する撮像手段と、
該撮像手段によって撮像された前記弾性部材の画像データから色要素を抽出し、あるいは前記弾性部材の伸長率又は太さを求める画像処理装置と、
前記画像処理装置によって抽出された前記弾性部材の色要素、あるいは求められた前記弾性部材の伸長率又は太さと、予め設定された閾値とを比較することによって前記吸収性物品の良否を判定する制御手段と、
を有する吸収性物品の検査装置を提供するものである。
【発明の効果】
【００１３】
本発明によれば、吸収性物品の製造工程において搬送される弾性部材の色に基づいて、該弾性部材が吸収性物品における所期の適正な位置に配置されているか否かを正確に判定し、吸収性物品を製造できる。
【図面の簡単な説明】
【００１４】
【図１】図１は、本発明に用いられる装置の一実施形態を示す斜視図である。
【図２】図２は、図１に示す装置によって撮像された糸ゴムの画像の一例を示す図である。
【図３】図３は、本発明の一実施形態における手順を示すフローチャートである。
【図４】図４は、太さの異なる２種の糸ゴムを示す図である。
【図５】図５は、糸ゴムの伸長率と太さとの関係を示す図である。
【図６】図６は、本発明の別の実施形態における複数本の糸ゴムの検査カメラによる撮像と太さ検出ウインドウを示す図である。
【図７】図７は、本発明の別の実施形態において撮像された糸ゴムの画像を示す図である。
【図８】図８は、本発明の別の実施形態における手順を示すフローチャートである。
【発明を実施するための形態】
【００１５】
以下、本発明をその好ましい実施形態に基づき図面を参照しながら説明する。本発明は、互いに異なる複数色の弾性部材を一方向に搬送しながら、該弾性部材を、吸収性物品を
構成するいずれかの材料に接合して吸収性物品を製造する方法に関するものである。あるいは、本発明は、互いに異なる太さ又は同じ太さを有する複数の弾性部材を一方向に搬送しながら、該弾性部材を、吸収性物品を構成するいずれかの材料に接合して吸収性物品を製造する方法に関するものである。そして、吸収性物品の製造過程において弾性部材の搬送状態を監視して、該弾性部材が吸収性物品における所期の適正な位置に配置されているか否か、すなわち吸収性物品の良否を判定する。まず、吸収性物品の良否を判定する検査装置について説明する。
【００１６】
［吸収性物品の検査装置］
図１は本発明に係る吸収性物品の検査装置の一実施形態を示す斜視図である。同図に示す検査装置１は、使い捨ておむつを始めとする各種の吸収性物品（図示せず）の製造ラインを、幅方向に適当な間隔で図示矢印方向に搬送される複数本（図示例では８本）の弾性部材２（本実施形態では、糸ゴム２）の色、伸長率又は太さを検出することによって、吸収性物品の良否を判定する装置である。
【００１７】
なお、本実施形態では、吸収性物品として使い捨ておむつを例に挙げるが、使い捨ておむつのギャザー部には、弾性部材として複数本の糸ゴム２が所定の間隔で互いに略平行に配設されている。同じ種類の糸ゴム又は互いに異なる２種以上の糸ゴム２が配置されるギャザー部としては、例えばウエストギャザーが典型的なものとして挙げられるが、これに限られない。複数本の糸ゴム２は、使い捨ておむつのサイズ（Ｓ、Ｍ、Ｌサイズ）、使用箇所（ウエスト部、鼠蹊部など）、使用対象者（乳幼児、高齢者など）に応じて本数や色あるいは伸長率（太さ）が異なっている。したがって、所期の部位に所期の糸ゴム２を配置する必要があり、その目的のために、おむつの製造過程において糸ゴムの配置状態を監視する必要があることは前述のとおりである。
【００１８】
そこで、本実施形態に係る検査装置１は、吸収性物品である使い捨ておむつの製造過程において図１の矢印方向に搬送される複数本の糸ゴム２の色、伸長率又は太さに基づき使い捨ておむつの良否を判定する。この目的のために、本検査装置１は次の構成を有している。
【００１９】
すなわち、図１に示す検査装置１は、撮像手段である検査カメラ（例えばＣＣＤカメラ）３と、該検査カメラ３による撮像によって得られた画像データを処理する画像処理装置４と、該画像処理装置４の画像処理によって得られた結果（糸ゴム２の色、伸長率又は太さ）を、予め設定された閾値と比較することによって使い捨ておむつの良否判定を行う制御手段としてのＣＰＵ（Central Processing Unit）５を含んで構成されている。
【００２０】
検査カメラ３は、搬送過程にある複数本の糸ゴム２の垂直上方に設置されている。各糸ゴム２は、互いに所定間隔を隔て、平行に且つ同一の搬送面上を一方向に搬送される。糸ゴム２の搬送面に対して、検査カメラ３が設置された側（図1中、糸ゴム２の上方）には、糸ゴム２の検査カメラ３による撮像箇所を照明するための照明装置６が糸ゴム２の搬送面に対して所定角度だけ傾斜して設置されている。照明装置６の種類に特に制限はない。照明装置６として例えば複数個の発光ダイオードを直線状に配列してなるライン型照明を用いることができる。あるいは複数個の発光ダイオードをリング状に配列したリング型照明を用いることもできる。
【００２１】
糸ゴム２の搬送面を境として検査カメラ３が設置された側（図１中、糸ゴム２の上方）と反対側（図１中、糸ゴム２の下側）には、背景板７が検査カメラ３に対向するように配置されている。背景板７は、検査カメラ３によって撮像される糸ゴム２と背景板７の画像のＨ（色度）、Ｓ（彩度）及びＶ（明度）の差を明確にするためのものである。背景板７は通常不透明且つ一色に着色されている。典型的には背景板７は黒色であるが、この色に
限定されるものではない。背景板７の寸法や形状に特に制限はなく、検査カメラ３の撮像視野をすべてカバーできる寸法及び／又は形状であればよい。
【００２２】
なお、本実施形態では、撮像手段である検査カメラ３を糸ゴム２の垂直上方に配置したが、この検査カメラ３を照明装置６と同様に糸ゴム２の搬送面に対して所定角度だけ傾けて配置してもよい。また、本実施形態では、検査カメラ３と照明装置６を糸ゴム２の搬送面の上側に配置し、背景板７を糸ゴム２の搬送面の下側に配置したが、これとは逆に検査カメラ３と照明装置６を糸ゴム２の搬送面の下側に配置し、背景板７を糸ゴム２の搬送面の上側に配置してもよい。
【００２３】
次に、以上のように構成された検査装置１を用いて実施される本発明に係る吸収性物品の検査方法及び製造方法について説明する。
【００２４】
［吸収性物品の検査方法及び製造方法］
＜実施形態１＞
本発明に係る検査方法及び製造方法の実施形態１を図２及び図３に基づいて以下に説明する。図２は本発明の実施形態１に係る検査方法及び製造方法において検査カメラによって撮像された糸ゴムの画像を示す図であり、図３は本実施形態１に係る検査方法及び製造方法の手順を示すフローチャートである。
【００２５】
図２に示す糸ゴム２の撮像画像は、図１に示す検査装置１において、照明装置６によって糸ゴム２の撮像箇所を照明しつつ、検査カメラ３が糸ゴム２からの反射光を撮像することによって得られる。
【００２６】
本実施形態においては、使い捨ておむつの製造工程において搬送される複数本の糸ゴム２の色によって使い捨ておむつの良否を判定する。詳細には、複数本の糸ゴム２を撮像し、撮像された各糸ゴム２の画像データから色要素を抽出し、この抽出された色要素と、予め設定された色要素の閾値とを比較することによって各糸ゴム２の配置状態を判定し、使い捨ておむつの良否を判定する。
【００２７】
ところで、本実施形態においては、検査対象である使い捨ておむつに配設される複数本の糸ゴム２の色は互いに異なる２色、例えば青と白に着色されている。糸ゴム２の使用本数を図２に示すとおり例えば８本とした場合、同図中、左右３本の糸ゴム２を青に着色されたものすることができ、中央の２本の糸ゴム２を白に着色されたものとすることができる。したがって、８本の糸ゴム２の各色の配列が正しく行われている場合には、検査カメラ３による撮像によって得られる図２に示す糸ゴム２の８本の画像において、左右３本の糸ゴム２の画像の色は青、中央の２本の糸ゴム２の画像の色は白である。８本の糸ゴム２は、所定の張力を保ちながら伸長状態下に図１の矢印方向に搬送される。
【００２８】
したがって、本実施形態に係る検査方法においては、製造ラインを搬送されている８本の各糸ゴム２の色（青か白）が所期の色（青か白）であるか否かを画像処理によって検出することによって、製品である使い捨ておむつ中での各糸ゴム２の配置状態を判定し、各糸ゴム２がおむつにおける所期の適正な位置に配置されているか否か、すなわちおむつの良否を判定するようにしている。その検査手順を図３に示すフローチャートに従って以下に説明する。
【００２９】
検査が開始されると、制御手段であるＣＰＵ５は、所定の時間間隔（インターバル）又は各糸ゴム２が巻装されたロール（図示せず）を装置にセットした後の所定のタイミングで、撮像手段である検査カメラ３に撮像開始のトリガ信号を発信する（図３のステップＳ１）。このとき、照明装置６は点灯状態にあって、搬送中の糸ゴム２の撮像箇所を照明し
ている。
【００３０】
ＣＰＵ５からのトリガ信号を受信した検査カメラ３は、撮像を開始し（ステップＳ２）、照明装置６から光の照射を受ける糸ゴム２からの反射光を撮像する。この結果、図２に示す計８本の糸ゴム２の撮像画像が得られる。撮像画像のデータは、画像処理装置４に送信されて該画像処理装置４によって画像処理される（ステップＳ３）。画像処理装置４においては、各糸ゴム２の画像データから色要素をそれぞれ抽出する。具体的には、図２に示すように、各糸ゴム２に対する撮像画像に矩形枠状の色抽出ウインドウＷ１をそれぞれ設定し、各色抽出ウインドウＷ１に表示される撮像画像に対して色抽出が実施される。図２に示す符号８は、糸ゴム２の搬送をガイドするためのガイドローラである。各色抽出ウインドウＷ１は、各糸ゴム２の振れが小さいガイドローラ８の近くに設定されることが有利である。本実施形態においては、図１に示すように、糸ゴム２の搬送面を境として検査カメラ３に対向する下側に背景板７を配置しており、背景板７と各糸ゴム２とのコントラストが高くなっているので、各糸ゴム２の撮像画像から色要素を高精度に抽出できる。
【００３１】
撮像画像から抽出される色要素としては、例えばＨＳＶ又は色の三原色であるＲＧＢ（赤（Ｒ）、緑（Ｇ）、青（Ｂ））を用いることが、色要素を高精度に抽出できる観点から有利である。画像処理装置４における画像データの処理に際しては、必要に応じて各種フィルター処理が実施される。
【００３２】
画像処理装置４によって抽出された各糸ゴム２の色要素（ＨＳＶ又はＲＧＢ）はＣＰＵ５へと送信され、ＣＰＵ５において各糸ゴム２の画像データから抽出された色要素と、予め設定された色要素の閾値とが比較される。この比較結果に基づいて各糸ゴム２の色（青又は白）を検出し、検出された色が所期の色（青又は白）と一致するか否かを判定する（ステップＳ４）。この判定の結果、搬送中の各糸ゴム２の色（青又は白）が所期の色（青又は白）と一致する場合（ステップＳ４：Ｙｅｓ）には、ＣＰＵ５は判定信号としてＯＫ（合格）信号を出力する（ステップＳ５）。その後、各糸ゴム２は使い捨ておむつを構成するいずれかの部材、例えば不織布等の各種シートに接合され、おむつの所定位置に組み込まれる。
【００３３】
他方、搬送中の各糸ゴム２の色（青又は白）が所期の色（青又は白）と一致しない場合（ステップＳ４：Ｎｏ）には、ＣＰＵ５は、判定信号としてＮＧ（不合格）信号を出力する（ステップＳ６）とともに、所期の色と異なる色の糸ゴム２、すなわち閾値を外れた糸ゴム２の搬送経路を液晶表示パネル等のインターフェース（図示せず）上に表示し（ステップＳ７）、必要な場合には糸ゴム２の搬送を停止する。
【００３４】
以上の一連の処理によって使い捨ておむつに対する検査が完了する（図３のステップＳ８）。以後、製造ラインにおける使い捨ておむつに対する検査が同様の方法によって連続的に行われる。
【００３５】
以上のように、本実施形態に係る検査方法及び製造方法によれば、製造ラインを搬送されている複数本の糸ゴム２を撮像し、撮像された各糸ゴム２の画像データから色要素を抽出し、この抽出された色要素と、予め設定された色要素の閾値とを比較することによって、各糸ゴム２が使い捨ておむつにおける所期の適正な位置に配置されているか否かの良否判定を正確に行うことができる。
【００３６】
＜実施形態２＞
次に、本発明の実施形態２を、図４ないし図８に基づいて以下に説明する。図４は太さの異なる２種の糸ゴムを示す図であり、図５は糸ゴムの伸長率と太さとの関係を示す図であり、図６は走行中の複数本の糸ゴムの検査カメラによる撮像と太さ検出ウインドウを示
す図であり、図７は本発明の実施形態２に係る検査方法において検査カメラによって撮像された糸ゴムの画像を示す図であり、図８は本実施形態２に係る検査方法の手順を示すフローチャートである。
【００３７】
本実施形態においては、使い捨ておむつの製造工程において搬送される複数本（図示例では６本）の糸ゴム２の伸長率又は太さ（以下、両者を総称して単に「太さ」という。）に基づいて使い捨ておむつの良否を判定する。
【００３８】
本実施形態においては、糸ゴムとして、互いに太さの異なるものが使用される。図４においては太い糸ゴム２１と、それよりも繊度の小さい細い糸ゴム２２の２種類が示されている。糸ゴム２１，２２の太さは、該糸ゴム２１，２２の伸長率に依存する。詳細には図５に示すように、伸長率が１倍、１．２５倍、１．５倍と大きくなるしたがって糸ゴム２の太さ（外径）ｄ１，ｄ２，ｄ３は、この順に小さくなる（ｄ１＞ｄ２＞ｄ３）。したがって、搬送過程にある糸ゴム２の伸長率を調整することで、該糸ゴム２の太さをコントロールできる。このことを踏まえ、本実施形態に係る検査方法及び製造方法を図８に示すフローチャートに従って以下に説明する。
【００３９】
検査が開始されると、制御手段であるＣＰＵ５（図１参照）は、所定の時間間隔（インターバル）又は各糸ゴム２が巻装されたロール（図示せず）を装置にセットした後の所定のタイミングで、撮像手段である検査カメラ３に対して撮像開始のトリガ信号を発信する（図８のステップＳ１１）。
【００４０】
ＣＰＵ５からのトリガ信号を受信した検査カメラ３は、撮像を開始し（ステップＳ１２）、照明装置６から光の照射を受ける６本の糸ゴム２からの反射光を撮像する。具体的には、図６に示す矩形の領域Ｒにおいて６本の糸ゴム２が撮像される。撮像によって例えば図７に示すような画像が得られる。その画像データは、図１に示す画像処理装置４へと送信されて画像処理される（ステップＳ１３）。この画像処理によって各糸ゴム２の太さが求められる。具体的には、図７に示すように、糸ゴム２の撮像画像には、各糸ゴム２に跨る矩形の６つの太さ検出ウインドウＷ２が設定され、各太さ検出ウインドウＷ２における画像データの画素数（ピクセル数）に基づき各糸ゴム２の太さが求められる。画像処理装置４における画像データの処理に際しては、必要に応じて各種フィルター処理が実施される。
【００４１】
画像処理装置４によって求められた各糸ゴム２の太さは、ＣＰＵ５へと送信される。ＣＰＵ５は、画像処理によって求められた各糸ゴム２の太さと、予め設定された太さの閾値とを比較し、求められた各糸ゴム２の太さが所期の太さと一致するか否かを判定する（ステップＳ１４）。例えば、図７に示す撮像画像において、太い４本の糸ゴム２（２ａ）の画像の画素数（ピクセル数）が例えば１０ｐｉｘである場合にはＯＫ（一致）と判定し、細い残り２本の糸ゴム２（２ｂ）の画像の画素数（ピクセル数）が例えば7ｐｉｘである場合にはＯＫ（一致）と判定する。
【００４２】
前記判定の結果、搬送中の各糸ゴム２の太さが所期の太さと一致する場合（ステップＳ１４：Ｙｅｓ）には、ＣＰＵ５は、判定信号としてＯＫ（合格）信号を出力する（ステップＳ１５）。
【００４３】
他方、搬送中の各糸ゴム２の太さが所期の太さと一致しない場合（ステップＳ１４：Ｎｏ）には、ＣＰＵ５は、判定信号としてＮＧ（不合格）信号を出力する（ステップＳ１６）とともに、所期の太さと異なる太さの糸ゴム２、すなわち閾値を外れた糸ゴム２の搬送経路をインターフェース（図示せず）上に表示する（ステップＳ１７）。更に必要に応じ、閾値の範囲を超えた糸ゴム２の搬送速度を調整する（ステップＳ１８）。糸ゴム２の搬
送速度の調整は、駆動源であるサーボモータなどの可変速モータの回転速度を加減速させることによって行われる。具体的には、糸ゴム２の太さが所期の太さよりも太い場合には、該糸ゴム２の搬送速度を上げて、図５に示すとおり糸ゴム２を細くする。逆に糸ゴム２の太さが所期の太さよりも細い場合には、該糸ゴム２の搬送速度を下げて、図５に示すとおり糸ゴム２を太くする。
【００４４】
以上の一連の処理によって使い捨ておむつに対する検査が完了する（図８のステップＳ１９）。以後、製造ラインにおける使い捨ておむつに対する検査が同様の方法によって連続的に行われる。
【００４５】
以上のように、本実施形態によれば、製造ラインを搬送されている複数本の糸ゴム２を撮像し、撮像された各糸ゴム２の画像データから太さを求め、求められた太さと予め設定された太さの閾値とを比較することによって、各糸ゴム２が使い捨ておむつにおける所期の適正な位置に配置されているか否かの良否判定を正確に行うことができる。
【００４６】
以上の説明では、糸ゴム２の太さに基づき該糸ゴム２の配置状態を判定して使い捨ておむつの良否を検査したが、糸ゴム２の太さに代えて、図５に示す関係を用いて糸ゴム２の伸長率に基づき該糸ゴム２の配置状態を判定して使い捨ておむつの良否を検査することもできる。この場合には、糸ゴム２の太さと伸長率との関係を示す検量線を予め作成しておくことが有利である。
伸長率は弾性部材の種類によってあらかじめ設定される画素数を基に画素数が少なければ伸長率が低く、画素数が多ければ伸長率を高いと判定する。
【００４７】
なお実施形態２に関し特に説明しない点については、実施形態１に関する説明が適宜適用される。
【００４８】
以上、本発明をその好ましい実施形態に基づき説明したが、本発明は前記実施形態に制限されない。例えば本発明においては、実施形態１及び実施形態２のうちのいずれか一方を選択的に行うことができ、あるいは実施形態１及び実施形態２をこの順で、又はこれと逆の順で連続的に行うこともできる。
【００４９】
また前記実施形態は、使い捨ておむつのウエストギャザーを形成するために糸ゴムを配置することに係るものであったが、糸ゴムの配置はウエストギャザーの形成のためだけではなく、使い捨ておむつにおける他の部位にギャザーを形成するために行うこともできる。例えば使い捨ておむつにおける胴回りギャザー、レッグギャザー、防漏カフの形成のために糸ゴムを配置することができる。
【００５０】
また前記実施形態は、本発明を特に使い捨ておむつの検査・製造に適用したものであるが、本発明は、糸ゴム等の弾性部材が使用される他の任意の吸収性物品、例えば生理用ナプキンや失禁パッドなどの検査・製造に対しても同様に適用可能である。
【符号の説明】
【００５１】
１      検査装置
２      糸ゴム（弾性部材）
３      検査カメラ（撮像手段）
４      画像処理装置
５      ＣＰＵ（制御手段）
６      照明装置
７      背景板
【図１】
2020032117.tif 000003
【図２】
2020032117.tif 000004
【図３】
2020032117.tif 000005
【図４】
2020032117.tif 000006
【図５】
2020032117.tif 000007
【図６】
2020032117.tif 000008
【図７】
2020032117.tif 000009
【図８】
2020032117.tif 000010